(57)【要約】  ２ｉｎ１装置のための双方向ワイヤレス充電機能を有する両面ドッキング可能なキーボード・ベースに関する方法及び機器が記載される。一実施形態では、２ｉｎ１装置のベースは、データ入力機能及び／又はワイヤレス充電機能を２ｉｎ１装置のタブレット部分に提供する。他の実施形態も開示され、特許権が主張される。
2019517047.tif 000002
【特許請求の範囲】
【請求項１】
機器であって、当該機器は、
第１の面及び第２の面を有するベースであって、該ベースは、データ入力機能及びワイヤレス充電機能をタブレットに提供するものである、ベースを有しており、
前記第１の面は、前記データ入力機能を提供するための入力装置を含み、前記第２の面は、前記ワイヤレス充電機能を提供するためのワイヤレス充電パッドを含み、前記ベースの第１の端部は、両面クレードルを含み、該両面クレードルは、前記両面クレードルのいずれかの側でタブレット部分を受容可能である、
機器。
【請求項２】
前記ベースは、該ベースの第１の端部から前記ベースの第２の端部までテーパが付けられ、前記ベースが表面に置かれたときに前記第１の端部と前記第２の端部との間に高低差を提供する、請求項１に記載の機器。
【請求項３】
前記ベースの前記第１の端部は、前記ベースの第２の端部よりも高い、請求項１又は２に記載の機器。
【請求項４】
表面には、机の上又はユーザのひざが含まれる、請求項１乃至３のいずれか一項に記載の機器。
【請求項５】
前記両面クレードルは、該両面クレードルのいずれかの側でデジタルペンを受容することができる、請求項１乃至４のいずれか一項に記載の機器。
【請求項６】
前記両面クレードルは、デジタルペンと物理的又は磁気的に係合する、請求項１乃至５のいずれか一項に記載の機器。
【請求項７】
前記入力装置は、キーボード及びトラックパッドのうちの１つ又は複数を含む、請求項１乃至６のいずれか一項に記載の機器。
【請求項８】
前記ワイヤレス充電パッドは、双方向ワイヤレス充電を提供する、請求項１乃至７のいずれか一項に記載の機器。
【請求項９】
前記ベースは、前記ベース又は前記タブレットの１つ又は複数の構成要素へのデータ通信及び電力の供給を容易にする少なくとも１つのユニバーサルシリアルバス（ＵＳＢ）タイプＣコネクタを含む、請求項１乃至８のいずれか一項に記載の機器。
【請求項１０】
前記ベースは、前記ワイヤレス充電パッドで受け取られるエネルギーによって充電されるバッテリを含む、請求項１乃至９のいずれか一項に記載の機器。
【請求項１１】
前記第２の面には、第２の入力装置がさらに含まれる、請求項１乃至１０のいずれか一項に記載の機器。
【請求項１２】
第２の入力装置は、描画パッド、電子インク、及び１つ又は複数のボタンのうちの１つ又は複数を含む、請求項１乃至１１のいずれか一項に記載の機器。
【請求項１３】
１つ又は複数のボタンは、固定又は構成可能である、請求項１乃至１２のいずれか一項に記載の機器。
【請求項１４】
前記第１の面は、前記第２の面の反対側にある、請求項１乃至１３のいずれか一項に記載の機器。
【請求項１５】
前記ベースは、前記タブレットが前記両面クレードルの片側にドッキングされると、前記ベースと前記タブレットとの間の物理的結合を提供するためのコネクタを含み、該コネクタは、前記ベースと前記タブレットとの間でデータ転送又は電力伝送のサポートを提供する、請求項１乃至１４のいずれか一項に記載の機器。
【請求項１６】
前記ベースは、該ベースの中心線の周りに対称的な物理的特徴を有する、請求項１乃至１５のいずれか一項に記載の機器。
【請求項１７】
前記ワイヤレス充電パッドは、１つ又は複数の外部装置を充電することができる、請求項１乃至１６のいずれか一項に記載の機器。
【請求項１８】
機器であって、当該機器は、
第１の面及び第２の面を有するベースであって、該ベースは、データ入力機能及びワイヤレス充電機能をタブレットに提供するものである、ベースを有しており、
前記第１の面は、データ入力機能を提供するための入力装置を含み、前記第２の面は、ワイヤレス充電機能を提供するためのワイヤレス充電パッドを含む、
機器。
【請求項１９】
前記ベースは、該ベースの第１の端部から前記ベースの第２の端部までテーパが付けられ、前記ベースが表面に置かれたときに前記第１の端部と前記第２の端部との間に高低差を提供する、請求項１８に記載の機器。
【請求項２０】
前記ベースの第１の端部は、前記ベースの第２の端部よりも高い、請求項１８又は１９に記載の機器。
【請求項２１】
表面には、机の上又はユーザのひざが含まれる、請求項１８乃至２０のいずれか一項に記載の機器。
【請求項２２】
前記入力装置は、キーボード及びトラックパッドのうちの１つ又は複数を含む、請求項１８乃至２１のいずれか一項に記載の機器。
【請求項２３】
前記ワイヤレス充電パッドは、双方向ワイヤレス充電を提供する、請求項１８乃至２２のいずれか一項に記載の機器。
【請求項２４】
前記ベースは、前記ベース又は前記タブレットの１つ又は複数の構成要素へのデータ通信及び電力の供給を容易にする少なくとも１つのＵＳＢタイプＣコネクタを含む、請求項１８乃至２３のいずれか一項に記載の機器。
【請求項２５】
前記ベースは、前記ワイヤレス充電パッドで受け取られるエネルギーによって充電されるバッテリを含む、請求項１８乃至２４のいずれか一項に記載の機器。
【発明の詳細な説明】
【技術分野】
【０００１】
本開示は、概して、電子装置の分野に関する。より具体的には、実施形態は、２ｉｎ１装置のための双方向ワイヤレス充電機能を有する両面ドッキング可能なキーボード・ベースに関する。
【背景技術】
【０００２】
誘導型又は磁気共鳴型のワイヤレス充電装置が、ポータブルコンピュータ装置の従来の有線充電器に代わる有望な技術として浮び上っている。
【図面の簡単な説明】
【０００３】
【図１】実施形態による、２ｉｎ１装置のための双方向ワイヤレス充電機能を有する両面ドッキング可能なキーボード・ベースの図を示す。
【図２】実施形態による、２ｉｎ１装置のための双方向ワイヤレス充電機能を有する両面ドッキング可能なキーボード・ベースの図を示す。
【図３】実施形態による、２ｉｎ１装置のための双方向ワイヤレス充電機能を有する両面ドッキング可能なキーボード・ベースの図を示す。
【図４】実施形態による、２ｉｎ１装置のための双方向ワイヤレス充電機能を有する両面ドッキング可能なキーボード・ベースの図を示す。
【図５】実施形態による、２ｉｎ１装置のための双方向ワイヤレス充電機能を有する両面ドッキング可能なキーボード・ベースの図を示す。
【図６】実施形態による、２ｉｎ１装置のための双方向ワイヤレス充電機能を有する両面ドッキング可能なキーボード・ベースの図を示す。
【図７】実施形態による、２ｉｎ１装置のための双方向ワイヤレス充電機能を有する両面ドッキング可能なキーボード・ベースの図を示す。
【図８】実施形態による、２ｉｎ１装置のための双方向ワイヤレス充電機能を有する両面ドッキング可能なキーボード・ベースの図を示す。
【図９】実施形態による、２ｉｎ１装置のための双方向ワイヤレス充電機能を有する両面ドッキング可能なキーボード・ベースの図を示す。
【図１０】実施形態による、２ｉｎ１装置のための双方向ワイヤレス充電機能を有する両面ドッキング可能なキーボード・ベースの図を示す。
【図１１】実施形態による、２ｉｎ１装置のための双方向ワイヤレス充電機能を有する両面ドッキング可能なキーボード・ベースの図を示す。
【図１２】実施形態による、２ｉｎ１装置のための双方向ワイヤレス充電機能を有する両面ドッキング可能なキーボード・ベースの図を示す。
【図１３】実施形態による、２ｉｎ１装置のための双方向ワイヤレス充電機能を有する両面ドッキング可能なキーボード・ベースの図を示す。
【図１４】実施形態による、２ｉｎ１装置のための双方向ワイヤレス充電機能を有する両面ドッキング可能なキーボード・ベースの図を示す。
【図１５】実施形態による、２ｉｎ１装置のための双方向ワイヤレス充電機能を有する両面ドッキング可能なキーボード・ベースの図を示す。
【図１６】実施形態による、２ｉｎ１装置のための双方向ワイヤレス充電機能を有する両面ドッキング可能なキーボード・ベースの図を示す。
【図１７】本明細書で説明される様々な実施形態で利用できるシステムの実施形態のブロック図を示す。
【図１８】本明細書で説明される様々な実施形態で利用できるシステムの実施形態のブロック図を示す。
【発明を実施するための形態】
【０００４】
詳細な説明が、添付図面を参照して提供される。図面において、参照符号の最も左側の桁は、参照符号が最初に現れる図を特定する。異なる図面における同じ参照符号の使用は、類似又は同一の項目を示す。
【０００５】
以下の説明では、様々な実施形態の完全な理解を与えるために、多数の特定の詳細が記載される。しかしながら、様々な実施形態は、特定の詳細なしに実施し得る。他の例では、特定の実施形態を不明瞭にしないように、周知の方法、手順、構成要素、及び回路について詳細に記載していない。さらに、実施形態の様々な態様は、集積半導体回路（「ハードウェア」）、１つ又は複数のプログラムに編成されたコンピュータ可読命令（「ソフトウェア」）、又はハードウェア及びソフトウェアのいくつかの組合せ等の様々な手段を使用して実行することができる。本開示の目的のために、「論理」への言及は、ハードウェア、ソフトウェア、ファームウェア、又はそれらの何らかの組合せを意味するものとする。
【０００６】
いくつかの実施形態は、２ｉｎ１装置のための双方向ワイヤレス充電機能を有する両面ドッキング可能なキーボード・ベースに関する。１つ又は複数の実施形態は、２ｉｎ１装置上で、ユーザに対して改善されたワイヤレス充電及び／又は改善されたユーザビリティ（usability）体験を与える。一実施形態では、２ｉｎ１装置のベースは、ワイヤレス充電機能及び／又はデータ入力機能を２ｉｎ１装置のタブレット部分に提供する。
【０００７】
本明細書で説明されるように、２ｉｎ１装置は、一般に、ベースと呼ばれる第１の部分と、タブレットと呼ばれる第２の部分とを含む装置を指す。さらに、２ｉｎ１装置は、少なくとも２つのモード、すなわち、タブレットモード又はラップトップモードで動作することができる。タブレットモードでは、ユーザは、上述した第２の部分と対話し、第２の部分は、画像を表示するフラットパネルディスプレイ装置（液晶ディスプレイ（LCD）等）を含む。フラットパネルディスプレイ装置は、例えば、ユーザ又は装置（ペン等）からのタッチ入力を受信するためのタッチディスプレイであってもよい。２ｉｎ１装置のベースは、有線接続又は無線接続（WiFi（Wireless Fidelity）（登録商標）又はBluetooth（登録商標）通信等）を介して、キーボード又はマウス等の他の装置或いはトラックパッドからの入力を受信することもできる。次に、ベースで受信した入力は、更なる処理のためにタブレット部分に転送してもよい。
【０００８】
さらに、いくつかの２ｉｎ１装置は、他の機能なしにキーボード・ベースとして動作するモビリティ・ベースを含むことができる。２ｉｎ１装置は、追加バッテリ及び／又は１つ又は複数のＩＯ（入力出力、すなわちＩ／Ｏ）ポートを含むモビリティ・ベースの拡張バージョンであるパフォーマンス・ベースを使用することもできる。パフォーマンス・ベースは、基本的なモビリティ・ベースよりも厚くて重くなり得る。１つ又は複数の実施形態は、例えばベースの両面を利用できるようにベースを両面及び／又はドッキング可能にすることによって、パフォーマンス・ベース又はモビリティ・ベースよりも多くの機能をベースに提供する。一実施形態では、両面ベースを利用する２ｉｎ１装置は、ロールイン及びロールアウトのドッキング機構（図１に示される２ｉｎ１装置のクレードル１０２（cradle）上の丸い領域）を提供することもできる。
【０００９】
また、本明細書で説明されるように、双方向ワイヤレス充電とは、一般に、（例えば、そのコンポーネントの１つ又は複数を動作させる、又はそれ自体のバッテリを充電するために）ワイヤレス充電エネルギーを受け取るだけでなく、ワイヤレス充電エネルギーを別の装置に供給する装置の機能を指す。
【００１０】
図１を参照すると、実施形態による、両面ドッキング可能なベース１００の左側面図が示されている。図１は、デスク／デスクトップ１０１上に着座しているベース１００を示す。上述したように、クレードル１０２上の丸い領域を使用して、ロールイン及びロールアウトのドッキング機能を提供することができる。図示されるように、ベース１００は、ユニバーサルシリアルバス（ＵＳＢ）タイプＣ（又は他のタイプの通信接続及び／又は電源接続（図示せず））を含むことができる。ＵＳＢタイプＣポートは、有線接続（図示せず）を介してベース１００に電力及び／又は通信を提供することができる。
【００１１】
図２は、実施形態による、両面ドッキング可能なベース１００の右側面図を示す。また、両面ドッキング可能なベース１００は、そのタブレット又は他の装置を両側で保持するクレードル（cradle）１０２を含む２ｉｎ１装置のキーボード／トラックパッド・ベースとして使用することができる（例えば、図１〜２参照）。キーボード・ベースの上面には、キーボード３０２及び／又はトラックパッド３０４（例えば、実施形態によるベース１００の上面図を示す図３を参照）を装備してもよく、一方、ベース１００の底面（例えば、実施形態による、ベース１００の底面の平面図を示す図４を参照）は、１つ又は複数の他のモジュール、例えば、双方向ワイヤレス充電パッド４０２、及び／又は描画パッド４０４、電子的なインク、すなわち電子インク４０６、トラックパッド（図示せず）、ホワイトボード（図示せず）、又はベースが平滑であり、外側がきれいに保たれ得る（例えば、例えば平らであり及び／又は物理的な侵入のない）任意の他のアイテムの１つ又は複数を装備してもよい。ベース１００の底面はまた、１つ又は複数の汎用（例えば、構成可能及び／又は固定）ボタン４０８を含むことができる。
【００１２】
様々な実施形態では、ベース１００の両面には、ＵＳＢタイプＣコネクタ（図１又は図２）が装備され、このコネクタのリバーシブル設計を利用して、両面ベースのいずれかの側から同じ有線充電及び装置接続の経験を行う。図５〜８は、異なる視点及びユーザモードからの実施形態を示す。さらに、ベース１００は、内部的に、ベース１００の両面に設けられた装置をサポートするための１つ又は複数のコンポーネント、例えば図１７〜図１８を参照して説明されるコンポーネント（複数可）を含むことができる。
【００１３】
図５は、いくつかの実施形態による、タブレット５０２がドッキングされた状態で上を向いているベース１００のキーボード側の側面図（ａ）及び斜視図（ｂ）をそれぞれ示す。図６は、いくつかの実施形態による、ベース１００の底面が上向きにされ、且つタブレット部分がドッキングされた状態の、ベース１００とタブレット５０２との組合せの斜視図を示す。図示されるように、ワイヤレス充電モジュール４０２は、（クレードルに近い）後側に配置され、入力部（例えば、描画ボード／パッド（ａ）又は電子インク（ｂ））が、（クレードルから離れて）表面の前側に配置される。
【００１４】
図７は、一実施形態による、タブレット５０２を閉じた位置にし、ベース１００上に載置させた状態を示す。図８は、実施形態による垂直／起立モードの２ｉｎ１装置を示す。図示されるように、システムは、（クレードルの端部８０２がスタンドとして機能する場合に）その特別なクレードルの設計で垂直方向のバランスを取ることができる。
【００１５】
図９は、一実施形態によるベース１００の完全に対称的な設計を示す。点線９０２は、ベース１００の中心線を示す。ベースの両側を利用すると、元のタイピングの経験は犠牲にならず、他方の側は、他の外部装置に接続せずに追加の機能を提供する。いくつかの実施形態の別のユニーク性は、例えばその完全な対称設計であり、ゴムクッション、コネクタ、及び／又は幾何形状が中心線９０２に対して鏡像関係にされ、両側から見るときに調和の取れた外観及び滑らかな感触を生じさせる（例えば、その物理的な外観又は寸法に関して、例えば、図８に示される垂直モードを可能にする）。
【００１６】
さらに、現在のラップトップ装置の中には、ヒンジの制限によって、すなわちメモリ、通信カード、ディスクドライブ等を交換するためのドアやアクセスパネルを含む裏面が頻繁に設計されているため、この種の設計を有していない。着脱可能な２ｉｎ１装置について、キーボード・ベースの機能は、そのメインロジックボードがタブレット側に移されるため、ラップトップよりもさらに機能が低下する。対照的に、両面ドッキング設計では、キーボード・ベースは現在のデザインよりも価値を有することになり得る。
【００１７】
図１０は、実施形態による、（例えば、クレードルのいずれかの側の）デジタルペン１００２の配置を示す。図１１は、実施形態による、クレードル上のデジタルペン１００２の位置の側面図を示す。図１２は、実施形態による、タブレット５０２がドッキングされた（５０２ａ）又は閉じられた（５０２ｂ）状態のデジタルペン１００２の位置の側面図を示す。こうして、１つ又は複数の実施形態は、クレードルの空いた側をデジタルペンのスロットとして利用する。例えば、タブレットは、ベース側の（例えば、クレードル１０２及び／又はペン１００２における）磁石によって発生した吸引力によっていずれの面に固定することができる。様々な実施形態において、クレードル及び／又はペンは、磁石を含み、及び／又は他方のアイテムから磁石によって引き付けられる金属材料を含むことができる。タブレットのない面は、ペンの適当な場所になり、これは、タブレットとスペースを共有することなく利用可能なスロットを提供することができる。この設計の別の利点は、従来のＰＤＡ又はスマートフォンのペンスロット設計のように、ペンスロットがシャーシ内部のスペースを使用せず、装置の寸法を大きくできることである。こうして、そのような設計は、クレードル上の既存のスペース及び／又は磁石（又はペンをロックする及び／又はペンがベースから外れるのを防止するための物理的特徴等の別の特徴）を利用して、そのスペース及び／又は磁石を素敵な（nice）ペン保持機構に変える。
【００１８】
図１３は、実施形態によるラップトップモードの２ｉｎ１装置を示す。図示されるように、２ｉｎ１装置は、その蓋を上にして（５０２ａ）、ベース１００を下にしている。ワイヤレス充電コイル４０２は、デスク１０１の方を向いており、図１７を参照してさらに説明するように、（例えば、デスク上に置かれたワイヤレス充電パッド（図示せず）を介して）電力伝送ユニットで充電することができる。従って、ワイヤレス充電モジュール４０２は、このモードでは電力を受け取る。
【００１９】
図１４は、一実施形態による、描画パッドモードの２ｉｎ１装置を示す。図示されるように、２ｉｎ１装置は、ベース側をひっくり返した状態でその蓋を上にしている（５０２ａ）。描画パッド４０４を使用する場合に、ユーザは、自分の電話機又はウェアラブル装置（又は、図１０〜図１２を参照して説明したデジタルペン等のワイヤレスで充電可能な他の外部装置）を充電することができると同時に、ベース上でスケッチを行うことができる。電源ケーブルを差し込んで（例えば、ＵＳＢタイプＣポートや別の電源コネクタを使用して）システム電力を供給する。ワイヤレス充電モジュール４０２は、このモードではワイヤレス充電エネルギーを供給する。
【００２０】
図１５は、一実施形態による、電子インクモードの２ｉｎ１装置を示す。図示されるように、２ｉｎ１装置は、ベース側をひっくり返した状態でその蓋を上にしている（５０２ａ）。電子インクディスプレイ４０６を使用する場合に、ユーザは、自分の電話機又はウェアラブル装置を充電することができると同時に、ベース上でスケッチを行うか、又はグレースケールメッセージを見ることができる。電子インクパネルはまた、（例えば、ＵＳＢタイプＣポート及び／又は別の電源コネクタを使用して）様々なキー及び／又はボタンをそのパネルに表示させた状態で、この（パネル）側の入力装置であってもよい。ワイヤレス充電モジュール４０２は、このモードではワイヤレス充電エネルギーを供給する。
【００２１】
さらに、電子インクを有するベースは、ベースが、Atom（登録商標）又はエジソン（登録商標）プロセッサ等の設置された（例えば、低出力の）プロセッサを有する場合に、例えばタブレットのない独立したシステムであってもよい。このようなプロセッサは、Ｗｅｂブラウジング、小説の読書、及び／又は電子メール等の重要性のより低いタスクのための基本的な計算能力を提供することができる。そのプロセッサは、Bluetooth（登録商標）（又は他の無線通信）を介して他の装置にも結合され、外部キーボードに変わることもあり得る。
【００２２】
図１６は、一実施形態によるタブレット（ワイヤレス充電）モードの２ｉｎ１装置の側面図を示す。例えば、ユーザは、コイル誘導のためにタブレットを底面に置くだけで、ベース１００からのワイヤレス充電を使用して、使用又は保管中にタブレット５０２ｂを充電することができる。次に、タブレットは、見る及び／又はタッチ入力（及び／又はペン描画）のための傾斜させた角度でベースによって充電することができる。ワイヤレス充電モジュール４０２は、このモードではワイヤレス・エネルギーを受け取る。
【００２３】
本明細書では、ベースの物理的なキーボード面の反対側についての複数の適用例を説明するが、この面には、生産性又はユーザビリティを高めるのに役立つ任意の他の機能及び／又はモジュールを装備させることができる。また、（例えば、データ通信及び／又は電力伝送のために）ベース１００とタブレット５０２とを電気的に結合するための物理的コネクタがあってもよい。こうして、ベースのワイヤレス充電によって、コネクタを介したタブレットへの電力伝送及び／又はクレードルを介した誘導電力伝送を可能にすることができる。
【００２４】
図１７は、実施形態による、ワイヤレス充電機能を有するコンピュータシステム１７００のブロック図を示す。一実施形態では、以前の図のいずれかを参照して説明したコンポーネント（ベース１００及び／又はタブレット５０２等）は、（例えば、双方向の）ワイヤレス充電を容易にする図１７の１つ又は複数のコンポーネントを含むことができる。システム１７００は、装置１７０２及び充電パッド１７０４を含む。アンテナ１７０６（例えば、各装置１７０２及びパッド１７０４に少なくとも１つ）によって、充電パッド１７０４から装置１７０２への電磁エネルギー／電磁波のワイヤレス送信が可能になり、ワイヤレス充電を可能にする。実施形態では、装置１７０２は、モバイル又はポータブルコンピュータ装置等のコンピュータ装置に組み込まれる。ポータブルコンピュータ装置は、（図１〜１６を参照して説明したような）２ｉｎ１システム、スマートフォン、タブレット、ＵＭＰＣ（Ultra-Mobile Personal Computer）、ラップトップコンピュータ、Ｕｌｔｒａｂｏｏｋ（登録商標）コンピュータ装置、ウェアラブル装置（（図１８を参照して説明するような）スマートウォッチ、スマートグラス、スマートブレスレット等）であってもよい。次に、装置１７０２のバッテリ１７２４（及び／又はワイヤレス電力受信機１７０８を介して又はバッテリ充電ロジック１７２６から受け取ったワイヤレス電力）を使用して、ポータブルコンピュータ装置に電力を提供する（又は充電を補助する）ことができる。
【００２５】
図１７に示されるように、装置１７０２は、ワイヤレス電力受信器（RX）１７０８を含み、（ＲＸ１７０８に直接的に結合されたアンテナ１７０６の１つを介して）電磁波を受け取り、充電パッド１７０４は、ワイヤレス電力送信器（TX）を含み、（ＴＸに直接的に結合されたアンテナ１７０６の１つを介して）電磁波を送信する。
【００２６】
また、ワイヤレス充電を介して充電することができる本明細書で説明されるコンピュータ装置（例えば、装置１７０２）は、システムオンチップ（SOC）装置として具体化することができる。図１８は、実施形態によるＳＯＣパッケージのブロック図を示す。図１８に示されるように、ＳＯＣ１８０２は、１つ又は複数の中央処理装置（CPU）コア１８２０、１つ又は複数のグラフィック処理装置（GPU）コア１８３０、入力／出力（Ｉ／Ｏ）インターフェイス１８４０、及びメモリコントローラ１８４２を含む。ＳＯＣパッケージ１８０２の様々なコンポーネントを、相互接続又はバスに結合することができる。また、ＳＯＣパッケージ１８０２は、他の図を参照して本明細書で説明したような、より多くの又はより少ないコンポーネントを含むことができる。さらに、ＳＯＣパッケージ１８２０の各コンポーネントは、例えば、本明細書の他の図を参照して説明したような、１つ又は複数の他のコンポーネントを含むことができる。一実施形態では、ＳＯＣパッケージ１８０２（及びそのコンポーネント）は、１つ又は複数の集積回路（IC）ダイ上に設けられ、例えば単一の半導体装置にパッケージングされる。
【００２７】
図１８に示されるように、ＳＯＣパッケージ１８０２は、メモリコントローラ１８４２を介してメモリ１８６０に結合される。実施形態では、メモリ１８６０（又はその一部）をＳＯＣパッケージ１８０２に集積することができる。さらに、Ｉ／Ｏインターフェイス１８４０は、例えば相互接続及び／又はバスを介して、１つ又は複数のＩ／Ｏ装置１８７０に結合することができる。Ｉ／Ｏ装置（複数可）１８７０は、キーボード、マウス、タッチパッド、ディスプレイ、画像／ビデオキャプチャ装置（カメラ又はカムコーダ／ビデオレコーダ等）、タッチスクリーン、スピーカ等の１つ又は複数を含むことができる。
【００２８】
以下の実施例は、更なる実施形態に関する。実施例１は、オプションで、機器を含むことができ、この機器は、第１の面及び第２の面を有するベースを含み、ベースは、データ入力機能及びワイヤレス充電機能をタブレットに提供するためのものであり、第１の面は、データ入力機能を提供するための入力装置を含み、第２の面は、ワイヤレス充電機能を提供するためのワイヤレス充電パッドを含み、ベースの第１の端部は、両面クレードルを含み、両面クレードルは、両面クレードルのいずれかの側でタブレット部分を受容可能である。
実施例２は、オプションで、実施例１又は本明細書で説明される他の実施例の機器を含むことができ、ベースは、ベースの第１の端部からベースの第２の端部までテーパが付けられ、ベースが表面に置かれたときに第１の端部と第２の端部との間に高低差を提供する。
実施例３は、オプションで、実施例２又は本明細書で説明される他の実施例の機器を含むことができ、ベースの第１の端部は、ベースの第２の端部よりも高い。
実施例４は、オプションで、実施例２又は本明細書で説明される他の実施例の機器を含むことができ、表面には、机の上又はユーザのひざ（lap）が含まれる。
実施例５は、オプションで、実施例１又は本明細書で説明される他の実施例の機器を含むことができ、両面クレードルは、両面クレードルのいずれかの側でデジタルペンを受容することができる。
実施例６は、オプションで、実施例５又は本明細書で説明される他の実施例の機器を含むことができ、両面クレードルは、デジタルペンと物理的又は磁気的に係合する。
実施例７は、オプションで、実施例１又は本明細書で説明される他の実施例の機器を含むことができ、入力装置は、キーボード及びトラックパッドのうちの１つ又は複数を含む。
実施例８は、オプションで、実施例１又は本明細書で説明される他の実施例の機器を含むことができ、ワイヤレス充電パッドは、双方向ワイヤレス充電を提供する。
実施例９は、オプションで、実施例１又は本明細書で説明される他の実施例の機器を含むことができ、ベースは、ベース又はタブレットの１つ又は複数の構成要素へのデータ通信及び電力の供給を容易にする少なくとも１つのユニバーサルシリアルバス（ＵＳＢ）タイプＣコネクタを含む。
実施例１０は、オプションで、実施例１又は本明細書で説明される他の実施例の機器を含むことができ、ベースは、ワイヤレス充電パッドで受け取られるエネルギーによって充電されるバッテリを含む。
実施例１１は、オプションで、実施例１又は本明細書で説明される他の実施例の機器を含むことができ、第２の面には、第２の入力装置がさらに含まれる。
実施例１２は、オプションで、実施例１１又は本明細書で説明される他の実施例の機器を含むことができ、第２の入力装置は、描画パッド、電子インク、及び１つ又は複数のボタンのうちの１つ又は複数を含む。
実施例１３は、オプションで、実施例１２又は本明細書で説明される他の実施例の機器を含むことができ、１つ又は複数のボタンは、固定又は構成可能である。
実施例１４は、オプションで、実施例１又は本明細書で説明される他の実施例の機器を含むことができ、第１の面は、第２の面の反対側にある。
実施例１５は、オプションで、実施例１又は本明細書で説明される他の実施例の機器を含むことができ、ベースは、タブレットが両面クレードルの片側にドッキングされると、ベースとタブレットとの間の物理的結合を提供するためのコネクタを含み、コネクタは、ベースとタブレットとの間のデータ転送又は電力伝送のサポートを提供する。
実施例１６は、オプションで、実施例１又は本明細書で説明される他の実施例の機器を含むことができ、ベースは、ベースの中心線の周りに対称的な物理的特徴を有する。
実施例１７は、オプションで、実施例１又は本明細書で説明される他の実施例の機器を含むことができ、ワイヤレス充電パッドは、１つ又は複数の外部装置を充電することができる。
【００２９】
実施例１８は、オプションで、機器を含むことができ、この機器は、第１の面及び第２の面を有するベースを含み、ベースは、データ入力機能及びワイヤレス充電機能をタブレットに提供するためのものであり、第１の面は、データ入力機能を提供するための入力装置を含み、第２の面は、ワイヤレス充電機能を提供するためのワイヤレス充電パッドを含む。
実施例１９は、オプションで、実施例１８又は本明細書で説明される他の実施例の機器を含むことができ、ベースは、ベースの第１の端部からベースの第２の端部までテーパが付けられ、ベースが表面に置かれたときに第１の端部と第２の端部との間に高低差を提供する。
実施例２０は、オプションで、実施例１９又は本明細書で説明される他の実施例の機器を含むことができ、ベースの第１の端部は、ベースの第２の端部よりも高い。
実施例２１は、オプションで、実施例１９又は本明細書で説明される他の実施例の機器を含むことができ、表面には、机の上又はユーザのひざが含まれる。
実施例２２は、オプションで、実施例１８又は本明細書で説明される他の実施例の機器を含むことができ、入力装置は、キーボード及びトラックパッドのうちの１つ又は複数を含む。
実施例２３は、オプションで、実施例１８又は本明細書で説明される他の実施例の機器を含むことができ、ワイヤレス充電パッドは、双方向ワイヤレス充電を提供する。
実施例２４は、オプションで、実施例１８又は本明細書で説明される他の実施例の機器を含むことができ、ベース又はタブレットの１つ又は複数の構成要素へのデータ通信及び電源の供給を容易にする少なくとも１つのＵＳＢタイプＣコネクタを含む。
実施例２５は、オプションで、実施例１８又は本明細書で説明される他の実施例の機器を含むことができ、ベースは、ワイヤレス充電パッドで受け取られるエネルギーによって充電されるバッテリを含む。
【００３０】
実施例２６は、オプションで、コンピュータシステムを含むことができ、コンピュータシステムは、電気エネルギーを蓄えるバッテリと、バッテリに結合され、且つ第１の面及び第２の面を含むベースと、を有し、データ入力機能及びワイヤレス充電機能をタブレットに提供するためのものであり、第１の面には入力装置が含まれ、第２の面にはワイヤレス充電パッドが含まれる。
実施例２７は、オプションで、実施例２６又は本明細書で説明される他の実施例の機器を含むことができ、ベースは、ベースの第１の端部からベースの第２の端部までテーパが付けられ、ベースが表面に置かれたときに第１の端部と第２の端部との間に高低差を提供する。
実施例２８は、オプションで、実施例２７又は本明細書で説明される他の実施例の機器を含むことができ、ベースの第１の端部は、ベースの第２の端部よりも高い。
実施例２９は、オプションで、実施例２７又は本明細書で説明される他の実施例の機器を含むことができ、表面には、机の上又はユーザのひざが含まれる。
実施例３０は、オプションで、実施例２６又は本明細書で説明される他の実施例の機器を含むことができ、入力装置は、キーボード及びトラックパッドのうちの１つ又は複数を含む。
実施例３１は、オプションで、実施例２６又は本明細書で説明される他の実施例の機器を含むことができ、ワイヤレス充電パッドは、双方向ワイヤレス充電を提供する。
実施例３２は、オプションで、実施例２６又は本明細書で説明される他の実施例の機器を含むことができ、ベース又はタブレットの１つ又は複数の構成要素へのデータ通信及び電力の供給を容易にする少なくとも１つのＵＳＢタイプＣコネクタを含む。
【００３１】
実施例３３は、オプションで、本明細書で説明される実施例に記載の方法を実施する手段を含む装置を含むことができる。
【００３２】
様々な実施形態では、例えば、図１〜図１８を参照して本明細書で説明される動作は、ハードウェア（例えば、論理回路）、ソフトウェア、ファームウェア、又はこれらの組合せとして実現してもよく、コンピュータプログラム製品として提供してもよく、コンピュータプログラム製品は、例えば、本明細書で説明されるプロセスを実行するようにコンピュータをプログラムするために使用される命令（又はソフトウェア手順）を記憶した有形の（例えば、非一時的な）機械可読媒体又はコンピュータ可読媒体を含む。機械可読媒体は、図１〜図１８に関して説明したような記憶装置を含むことができる。
【００３３】
さらに、そのようなコンピュータ可読媒体は、コンピュータプログラム製品としてダウンロードすることができ、そこでは、プログラムは、搬送波で提供されるデータ信号又は通信リンク（例えば、バス、モデム、又はネットワーク接続）を介した他の伝播媒体によって、リモートコンピュータ（例えば、サーバ）から要求するコンピュータ（例えば、クライアント）に転送される。
【００３４】
明細書における「一実施形態」又は「実施形態」への参照は、実施形態に関連して説明した特定の特徴、構造、及び／又は特性が、少なくとも実装形態に含まれ得ることを意味する。本明細書の様々な場所における「一実施形態では」という語句の出現は、全て同じ実施形態を指しても、指さなくてもよい。
【００３５】
また、明細書及び特許請求の範囲において、「結合された」及び「接続された」という用語は、それらの派生語とともに使用してもよい。いくつかの実施形態では、「接続された」は、２つ以上の要素が互いに直接的に物理的又は電気的に接触していることを示すために使用され得る。「結合された」とは、２つ以上の要素が直接的に物理的又は電気的に接触していることを意味し得る。しかしながら、「結合された」とは、２つ以上の要素が互いに直接接触していなくてもよいが、依然として互いに協働又は相互作用し得ることを意味する。
【００３６】
こうして、実施形態について、構造的特徴及び／又は方法論的動作に特有の言語で説明したが、特許請求の範囲に記載された主題は、記載された特定の特徴又は動作に限定されないことを理解されたい。むしろ、特定の特徴及び動作は、特許請求の範囲に記載される主題を実施するためのサンプル形式として開示される。
【図１】
2019517047.tif 000003
【図２】
2019517047.tif 000004
【図３】
2019517047.tif 000005
【図４】
2019517047.tif 000006
【図５】
2019517047.tif 000007
【図６】
2019517047.tif 000008
【図７】
2019517047.tif 000009
【図８】
2019517047.tif 000010
【図９】
2019517047.tif 000011
【図１０】
2019517047.tif 000012
【図１１】
2019517047.tif 000013
【図１２】
2019517047.tif 000014
【図１３】
2019517047.tif 000015
【図１４】
2019517047.tif 000016
【図１５】
2019517047.tif 000017
【図１６】
2019517047.tif 000018
【図１７】
2019517047.tif 000019
【図１８】
2019517047.tif 000020
【国際調査報告】
2019517047.tif 000021
2019517047.tif 000022